(57)【要約】【課題】穴開け用の専用の道具を缶容器と別個に準備する必要がなく、また、容易に開けることができて、穴を開けた際にガスや内容物で身体や衣服が汚れることのない穴開け器を備えた缶容器を提供する。【解決手段】スプレー容器などの内部にガスを充填した容器本体１の底壁１ａに穴Ｈを開けるための穴開け器１０を備えた缶容器であって、穴開け器１０を、容器本体１の頂部に着脱自在に嵌着するキャップ体１１の頂壁１２の中心部から針片１５を垂下設すると共に、頂壁１２に孔部１２ａを設けて構成し、穴開け器１０を容器本体１の頂部から取り外して底部に嵌着して押付け、針片１５で容器本体１の底壁１ａに穴Ｈを開けて内部のガスを排出させ、そのガスを孔部１２ａから外部へ放出する。【選択図】      図２
2004331164.tif 000002
【特許請求の範囲】
【請求項１】
スプレー容器などの内部にガスを充填した容器本体（１）の底壁（１ａ）に穴（Ｈ）を開けるための穴開け器（１０）を備えた缶容器であって、
前記穴開け器を，前記容器本体の頂部に着脱自在に嵌着するキャップ体（１１）の頂壁（１２）の中心部から針片（１５）を垂下設すると共に，前記頂壁に孔部（１２ａ）を設けて構成し、
前記穴開け器を，容器本体の頂部から取り外して底部に嵌着して押付け，前記針片で前記容器本体の底壁に穴を開けて内部のガスを排出させ，該ガスを前記孔部から外部へ放出してなる穴開け器付缶容器。
【請求項２】
スプレー容器などの内部にガスを充填した容器本体（１）の底壁（１ａ）に穴（Ｈ）を開けるための穴開け器（１０）を備えた缶容器であって、
前記穴開け器を，前記容器本体の頂部に着脱自在に嵌着する，頂壁（１２）と複数の脚片（１４）とからなるキャップ体（１１）の前記頂壁の中心部から針片（１５）を垂下設すると共に，前記頂壁に孔部（１２ａ）を設け，さらに，前記キャップ体に前記針片を覆う安全カバー（１６）を設けると共に，前記脚片を，径の異なる複数種の缶容器に嵌着するために径方向に移動自在に設けて構成し、
前記穴開け器を容器本体の頂部から取り外して底部に嵌着して押付け，前記針片で前記容器本体の底壁に穴を開けて内部のガスを排出させ，該ガスを前記孔部から外部へ放出してなる穴開け器付缶容器。
【発明の詳細な説明】
【０００１】
【発明の属する技術分野】本発明は、スプレー容器などの内部にガスを充填した缶容器を廃棄するに際して、そのガスを排出するために容器本体の底壁に穴を開けるための穴開け器を備えた缶容器に関するものである。
【０００２】
【従来の技術】近年、スプレー容器等の内部にガスを充填した缶容器を廃棄する際に、内部のガスを排出することが求められるようになっており、自治体によってはそれを条例で義務付けているところもある。
【０００３】
しかし、実際にはこうした求めが充分に徹底されておらず、各自治体が、缶容器を回収後に、多額のコストを費やしてその缶容器に穴を開けてガスを排出し、廃棄し、あるいはリサイクルしているのが現状である。従って、個々の住民が缶容器に穴を開けてガスを排出すれば、多額のコストを費やすことなく廃棄あるいはリサイクルすることができるので好ましいが、それには厄介な問題がある。
【０００４】
【発明が解決しようとする課題】すなわち、缶容器に穴を開けるには、例えば、ドライバー等の鋭利な道具で突き刺したり、あるいは、缶容器とは別個にそれ専用の道具をあらかじめ準備しておき、穴開け時に取り出して使用し、さらに使用後に収納するといった面倒な作業が必要である。また、穴を開ける際に、手元が狂って上手く穴を開けることができず、缶容器が凹んだり、さらには、噴出したガスおよび内容物によって身体や衣服を汚してしまうといった問題もある。
【０００５】
本発明はこうした問題に鑑み創案されたもので、穴開け用の専用の道具を缶容器と別個に準備する必要がなく、また、容易に開けることができて、穴を開けた際にガスや内容物で身体や衣服が汚れることのない穴開け器を備えた缶容器を提供することを課題とする。
【０００６】
【課題を解決するための手段】図１乃至図７を参照して説明する。第一の発明に係る穴開け器付缶容器は、スプレー容器などの内部にガスを充填した容器本体１の底壁１ａに穴Ｈを開けるための穴開け器１０を備えた缶容器であって、前記穴開け器１０を、前記容器本体１の頂部に着脱自在に嵌着するキャップ体１１の頂壁１２の中心部から針片１５を垂下設すると共に、前記頂壁１２に孔部１２ａを設けて構成し、前記穴開け器１０を容器本体１の頂部から取り外して底部に嵌着して押付け、前記針片１５で前記容器本体１の底壁１ａに穴Ｈを開けて内部のガスを排出させ、該ガスを前記孔部１２ａから外部へ放出してなるものである。
【０００７】
第二の発明に係る穴開け器付缶容器は、スプレー容器などの内部にガスを充填した容器本体１の底壁１ａに穴Ｈを開けるための穴開け器１０を備えた缶容器であって、前記穴開け器１０を、前記容器本体１の頂部に着脱自在に嵌着する、頂壁１２と複数の脚片１４とからなるキャップ体１１の前記頂壁１２の中心部から針片１５を垂下設すると共に、前記頂壁１２に孔部１２ａを設け、さらに、前記キャップ体１１に前記針片１５を覆う安全カバー１６を設けると共に、前記脚片１４を、径の異なる複数種の缶容器に嵌着するために径方向に移動自在に設けて構成し、前記穴開け器１０を容器本体１の頂部から取り外して底部に嵌着して押付け、前記針片１５で前記容器本体１の底壁１ａに穴Ｈを開けて内部のガスを排出させ、該ガスを前記孔部１２ａから外部へ放出してなるものである。
【０００８】
【発明の実施の形態】本発明に係る穴開け器付缶容器の第一実施形態を、図１乃至図４に示す。この缶容器は、容器本体１の頂部に蓋体２（半球状のものを図示したが、円筒状の場合もある）を被せ、その容器本体１の内部にガスを充填したスプレー式であり、容器本体１の底壁１ａに穴Ｈを開けるための穴開け器１０を備えている。
【０００９】
そして、穴開け器１０を、容器本体１の頂部に着脱自在に嵌着するように、頂壁１２と筒状の周壁１３とからなるキャップ体１１の頂壁１２の中心部から断面円錐形状の針片１５を垂下設すると共に、頂壁１２に複数の孔部１２ａを穿設して構成している。
【００１０】
また、この穴開け器１０には、キャップ体１１に針片１５を覆う安全カバー１６を設けている。この安全カバー１６は、頂壁１２に設けた止め片１７に係止する。安全カバー１６を設けたことによって、針片１５による事故を未然に防止することができる。なお、針片１５の安全性をさらに担保するために、安全カバー１６の他に中間カバー１８を設けることができる。
【００１１】
この穴開け器付缶容器は次のようにして使用する。当該缶容器を廃棄するに際し、まず、穴開け器１０を缶容器の頂部から取外す。次に、安全カバー１６（および中間カバー１８）を取り除いた後、容器本体１の底部に嵌着し、その状態で強く押付ける。これにより、針片１５が容器本体１の底壁１ａの中心部に突き刺さり、当該中心部に穴Ｈが開き、この穴Ｈから容器本体１内のガスが排出される。
【００１２】
この際、当該穴Ｈは底壁１ａの中心部に開けられるので、その穴Ｈから排出されたガスや内容物はキャップ体１１の頂壁１２に当たる。従って、直接身体や衣服に当たって、それらを汚すことがない。なお、排出したガスは、頂壁１２に当たった後、頂壁１２に形成した複数の孔部１２ａから外部へ、緩やかにかつ円滑に放出される。
【００１３】
この穴開け器付缶容器は、穴開け器１０を容器本体１の頂部に嵌着しているので、当該缶容器を廃棄する際に、その穴開け器１０を使用して穴Ｈを開けることができる。従って、従来のように、別個に専用の穴開け具を準備しておき、穴Ｈを開ける際に取り出して使用するといった面倒な作業を必要としない。また、穴開け器１０を、容器本体１の底部に嵌着して強く押し付けるといった簡単な作業で、容易に穴Ｈを開けることができる。
【００１４】
本発明に係る穴開け器付缶容器の第二実施形態を、図５乃至図７に示す。この缶容器の特徴は、キャップ体１１を、頂壁１２と四本の脚片１４とで形成し、各脚片１４を、径の異なる複数種の缶容器に嵌着すべく、径方向に移動自在に設けたことである。この四本の脚片１４は、その基部を頂壁に形成したアリ溝１９の幅広部１９ａに嵌め込み、抜け出し不能かつ移動自在としている。
【００１５】
これにより、穴開け器を備えていない他の径の異なる種々の缶容器の底部に缶着して押付け、容器本体１の底壁１ａの中心部に正確に穴Ｈを開けることができるので、実用性に優れる。
【００１６】
【発明の効果】請求項１に記載の穴開け器付缶容器は、穴開け器１０を、容器本体１の頂部に着脱自在に嵌着しているので、別途に専用の穴開け具を準備することなく、容易に穴Ｈを開けて内部のガスを排出することができる。また、容器本体１の底部に嵌着して強く押し付けるのみで、容易に穴Ｈを開けることができるので、作業が容易である。さらに、針片１５を、キャップ本体頂壁１２の中心部に設けているので、穴Ｈを、確実に容器本体１の底壁１ａ中心部に開けることができ、よって排出するガスを頂壁１２に当てることができる。従って、身体や衣服を汚すことがない。
【００１７】
請求項２に記載の穴開け器付缶容器は、請求項１に記載の発明と同様に、別途に専用の穴開け具を準備することなく、容易な作業で穴Ｈを開けることができ、また、穴Ｈを開けた際に身体や衣服を汚すことがない。さらに、キャップ体１１に針片１５を覆う安全カバー１６を設けているので、針片１５による事故を未然に防止することができる。またさらに、複数の脚片１４を径方向に移動自在に設けたので、径の異なる種々の缶容器にも使用することができる。
【図面の簡単な説明】
【図１】本発明の第一実施形態を示す部分断面正面図である（通常の状態）。
【図２】本発明の第一実施形態を示す部分断面正面図である（穴を開ける状態）。
【図３】本発明の第一実施形態における穴開け器を示す正面図である。
【図４】図３に示す穴開け器の平面図である。
【図５】本発明の第二実施形態における穴開け器を示す正面図である。
【図６】図５に示す穴開け器の平面図である。
【図７】図５のＸ−Ｘ線断面図である。
【符号の説明】
１        容器本体
１ａ      底壁
２        蓋体
１０      穴開け器
１１      キャップ体
１２      頂壁
１２ａ    孔部
１３      周壁
１４      脚片
１５      針片
１６      安全カバー
１７      止め片
１８      中間カバー
１９      アリ溝
１９ａ    幅広部
Ｈ        穴
【図１】
2004331164.tif 000003
【図２】
2004331164.tif 000004
【図３】
2004331164.tif 000005
【図４】
2004331164.tif 000006
【図５】
2004331164.tif 000007
【図６】
2004331164.tif 000008
【図７】
2004331164.tif 000009